(57)【要約】【課題】管理データを無線送信するに際して、簡易な作業で、送信対象に間違いが生じることを抑えることができる情報送信装置、設備機器、情報送信システムおよび情報送信方法を提供する。【解決手段】複数の保冷庫１に対して無線によって情報を送信するデータ設定装置２２であって、データ保持部２５と、コード通信部２３とを備えている。この複数の保冷庫１は、物品３０の配送に用いられるものであり、互いを識別するための識別コード１１が割り当てられている。データ保持部２５は、複数の保冷庫１の配送管理に用いられる管理データＡと、各保冷庫１の識別コード１１を示す識別データＢとを有している。コード通信部２３は、保冷庫１の配送管理に用いられる管理データＡを、その保冷庫１の識別データＢと対応させて送信することで、複数の保冷庫１に対して送信を行う。【選択図】        図１０
2004269178.tif 000002
【特許請求の範囲】
【請求項１】
互いを識別するための識別コード（１１）が割り当てられており配送物（３０）の配送に用いられる複数の配送装置（１）に対して、無線によって情報を送信する情報送信装置（２２）であって、
前記複数の配送装置（１）の配送管理に用いられる管理データ（Ａ）と、前記識別コード（１１）を示す識別データ（Ｂ）とを有する情報保持部（２５）と、
前記管理データ（Ａ）を、前記識別データ（Ｂ）と対応させて前記複数の配送装置（１）に対して送信する情報送信部（２３）と、
を備えた情報送信装置（２２）。
【請求項２】
前記情報保持部（２５）は、前記管理データ（Ａ）と、前記識別データ（Ｂ）とを取得する取得手段（２６，２８）を有する、
請求項１に記載の情報送信装置（２２）。
【請求項３】
前記取得手段（２６）は、前記管理データ（Ａ）を入力する入力手段（２６）である、
請求項２に記載の情報送信装置（２２）。
【請求項４】
前記取得手段（２８）は、前記識別データ（Ｂ）を読み取る読み取り手段（２８）である、
請求項２に記載の情報送信装置（２２）。
【請求項５】
前記識別コード（１１）は、それぞれの前記配送装置（１）に固有のバーコード（１１）である、
請求項４に記載の情報送信装置（２２）。
【請求項６】
前記情報保持部（２５）と前記情報送信部（２３）とに接続され、前記取得手段（２６，２８）が前記管理データ（Ａ）および前記識別データ（Ｂ）を取得したか否かを判断する情報取得検知部（２４）をさらに備え、
前記情報送信部（２３）は、前記情報取得検知部（２４）の判断に基づいて、前記配送装置（１）に対して前記管理データ（Ａ）の送信を行う、
請求項２から５のいずれかに記載の情報送信装置（２２）。
【請求項７】
前記管理データ（Ａ）は、前記複数の配送装置（１）が前記配送物（３０）の配送において必要とする配送データ（Ａ）である、
請求項１から６いずれかに記載の情報送信装置（２２）。
【請求項８】
互いを識別するための識別コード（１１）が割り当てられており、配送物（３０）の配送に用いられ、情報送信装置（２２）からの情報を無線によって受信する配送装置（１）であって、
前記情報送信装置（２２）から無線送信されてくるデータ（Ａ）が前記識別コード（１１）を示す識別データ（Ｂ）を伴っているか否かを判別する情報判別部（１４）と、
前記情報判別部（１４）の判別結果に基づいて、前記データ（Ａ）を受信する情報受信部（１３）と、
を備えた配送装置（１）。
【請求項９】
互いを識別するための識別コード（１１）が割り当てられており、配送物（３０）の配送に用いられる複数の配送装置（１）と、
前記複数の配送装置（１）の配送管理に用いられる管理データ（Ａ）を、前記識別コード（１１）を示す識別データ（Ｂ）と対応させて前記複数の配送装置（１）に対して無線送信する情報送信装置（２２）と、
を備えた情報送信システム。
【請求項１０】
情報送信装置（２２）から、互いを識別するための識別コード（１１）が割り当てられており配送物（３０）の配送に用いられる複数の配送装置（１）に対して情報を送信する情報送信方法であって、
前記情報送信装置（２２）が、前記複数の配送装置（１）の配送管理に用いられる管理データ（Ａ）を前記識別コード（１１）を示す識別データ（Ｂ）と共に前記複数の配送装置（１）に対して送信する第１ステップと、
前記配送装置（１）が、前記管理データ（Ａ）が自己の識別コード（１１）を示す識別データ（Ｂ）を伴っている場合に、前記管理データ（Ａ）を受信する第２ステップと、
を備えた情報送信方法。
【請求項１１】
互いを識別するための識別コード（１１）が割り当てられており、配送物（３０）の配送に用いられる複数の配送装置（１）と、
前記識別コード（１１）を示す識別データ（Ｂ）を自己に返信させるための信号（Ｅ）を、前記複数の配送装置（１）に対して送る情報送信装置（２２）と、を備え、
前記情報送信装置（２２）は、前記配送装置（１）からの返信される前記識別データ（Ｂ）に基づいて送信対象の配送装置（１）を定め、前記定められた配送装置（１）の配送管理に用いられる管理データ（Ａ）を、前記識別データ（Ｂ）と対応させて前記定められた配送装置（１）に対して無線送信する、
情報送信システム。
【発明の詳細な説明】
【０００１】
【発明の属する技術分野】
本発明は、情報送信装置、配送装置、情報送信システム、および情報送信方法に関する。
【０００２】
【従来の技術】
低温を維持した状態で搬送・納品を行う必要のある生鮮食料などの配送物は、通常断熱効果を備える保冷車と呼ばれる箱に積み込まれて物流が行われる。このような保冷車では、冷凍機等により温度維持がなされているが、温度管理が十分行われていないのが現状である。温度記録計を内部に設置し、事後に温度履歴がわかるようにした保冷車もあるが、リアルタイムで温度情報を監視しているわけではないため、内部の配送物に影響があるような温度上昇を防止することはできない。また、保冷車のドアが開いたままになっていたり、故障が発生していたりしても、ドライバーなどの搭乗員が注意していないと見過ごす場合があり、内部温度の上昇やひいては配送物のダメージにつながるおそれがある。
【０００３】
また、供給先や納品する配送物の点検は人手に頼っており、供給元であるカミサリーと呼ばれる一次加工工場での積載ミス、供給先間違い、供給先である店舗での受け入れミス、配送時のドライバーと店舗側店員との連絡ミスにより配送品放置などが起こりがちであり、物流ロスが生じる原因となっている。
このような従来の物流サイクルにおける問題点を解消するために、本願出願人は、冷凍食料品などの特に低温維持を要する配送物の物流において、配送時の保冷庫の状態、配送時および供給先における保冷庫内の状態などを監視して、内部に収納された配送物の安全管理、物流サイクル中の管理情報の分析などを行うようにしたシステムを、既に開発し、出願している（例えば、特許文献１）。
【０００４】
このようなシステムによれば、鮮度の劣化、誤配等を防止でき、安心かつ確実な物流を実現することができる。
【０００５】
【特許文献１】
特開２００２−３３３２６３号公報  （第２１４頁、第４図）
【０００６】
【発明が解決しようとする課題】
ところで、前述のようなシステムでは、主に、供給元と、保冷庫等に収納されて配送物が供給元から供給される供給先と、それらの間で保冷庫を搬送する車輌とで物流サイクルが構成されている。すなわち、供給元から出荷された保冷庫は車輌により各供給先に配送され、その後各供給先で回収された保冷庫は車輌によって再び供給元に集められる。
【０００７】
このようなシステムにおいては、搬送される保冷庫や車輌には、それぞれ通信ユニットが設けられており、例えば、保冷庫が予定の供給先に到着した場合に、これを検知してブザーを鳴らしたり、ＬＥＤを表示したりすることも行われている。
このようにして搬送される各保冷庫は、供給元において、保冷庫毎の供給先のデータや搬送に用いられる車輌のデータ等の入力作業が無線通信機等による無線によって行われている。しかし、このような無線による情報の入力作業においては、入力対象である保冷庫が複数存在するため、入力対象の保冷庫ではない他の保冷庫に対して誤って情報が入力されてしまうという恐れがある。また、すでに入力が終了している保冷庫に対しても、誤って情報が上書きされてしまう恐れもある。また、送信対象の各保冷庫が互いに近接した場所に置かれている場合には、情報の誤送を効果的に抑えることは、よりいっそう困難となることもある。特に、供給元は、保冷庫が回収される場所であり、再び搬送されようとする保冷庫が数多く存在する場所であるため、各保冷庫は互いに近接した状態であることが多く、このような問題がより顕在化してしまう恐れもある。また、データの入力を正確に行うためにデータ入力端末等と一つ一つの保冷庫とを有線接続してデータの入力を行うという作業は非常に繁雑である。
【０００８】
本発明は、上記事情に鑑みてなされたものであり、本発明の課題は、管理データを無線送信するに際して、簡易な作業で、送信対象に間違いが生じることを抑えることができる情報送信装置、設備機器、情報送信システムおよび情報送信方法を提供することにある。
【０００９】
【課題を解決するための手段】
請求項１に係る情報送信装置は、複数の配送装置に対して無線によって情報を送信する情報送信装置であって、情報保持部と、情報送信部とを備えている。この複数の配送装置は、配送物の配送に用いられるものであり、互いを識別するための識別コードが割り当てられている。情報保持部は、複数の配送装置の配送管理に用いられる管理データと、各配送装置の識別コードを示す識別データとを有している。ここでの管理データとしては、例えば、配送装置が配送される配送先に関するデータや配送装置の配送に用いられる搬送用車輌に関するデータ、もしくは、配送物を配送装置に収容した日時、収容された食材種類、鮮度計による計測値、配送元に関するデータ、配送装置内の温度などのデータがある。情報送信部は、配送装置の配送管理に用いられる管理データを、その配送装置の識別データと対応させて送信することで、複数の配送装置に対して送信を行う。
【００１０】
送信対象の配送装置が複数存在する場合において情報送信装置が無線による情報の送信を行っている場合には、それぞれの配送装置が必要としており配送装置毎に異なる管理データを各配送装置に対して送信できなかったり、目的とする送信対象の配送装置以外の配送装置に対して誤ったデータを送信してしまったりする恐れがある。また、情報送信装置と一つ一つの配送装置とを有線接続してデータの入力を行うという作業は非常に繁雑である。
【００１１】
しかし、請求項１に記載の情報送信装置では、複数の配送装置が互いを識別するための識別コードを有しているため、複数の配送装置は、この識別コードによって互いに識別されるようになっている。そして、情報送信装置は、複数の配送装置に対して、配送装置の配送管理に用いられる管理データのみを送信するのではなく、各管理データに各配送装置の識別データを対応させて送信する。このため、情報送信装置は、各配送装置に対して対応する管理データを送信することができるようになり、簡易な作業で、送信対象に間違いが生じることを抑えることができるようになる。
【００１２】
請求項２に係る情報送信装置は、請求項１に記載の情報送信装置であって、情報保持部は、管理データと、識別データとを取得する取得手段を有している。
ここでは、情報保持部は取得手段を有しているため、情報保持部が初めから管理データや識別データを有していない場合であっても、取得手段を介して情報保持部に管理データや識別データを与えることができるようになる。
【００１３】
請求項３に係る情報送信装置は、請求項２に記載の情報送信装置であって、取得手段は、管理データを入力する入力手段である。
ここでは、取得手段は、管理データを入力する入力手段であるので、情報保持部は、管理データがこの入力手段から入力されることにより、管理データを得ることができるようになる。
【００１４】
例えば、読み取り可能な状態となっていないような管理データについて、人間が入力手段としてのボタン入力やフレキシブルディスクを介しての入力等によって情報保持部に入力することによって、管理データを情報保持部に与える場合等が考えられる。
請求項４に係る情報送信装置は、請求項２に記載の情報送信装置であって、取得手段は、識別データを読み取る読み取り手段である。
【００１５】
ここでは、取得手段は、識別データを読み取る読み取り手段であるので、情報保持部は、識別データがこの読み取り手段から読み取られることにより、識別データを得ることができるようになる。
例えば、読み取り可能な状態となっているような識別データについては、読み取り手段としてのリーダー等から読み取ることによって、識別データを情報保持部に与える場合等が考えられる。
【００１６】
請求項５に係る情報送信装置は、請求項４に記載の情報送信装置であって、識別コードは、それぞれの配送装置に固有のバーコードである。ここで、バーコードとは、例えば、太さの違う線とその間隔の並びで、英字・数字などを表現した符号等をいう。
ここでは、複数の配送装置には各配送装置に固有のバーコードが割り当てられている。このため、情報保持部は、読み取り手段からこのバーコードを読み取るだけで、各配送装置の識別データを取得することができるようになる。したがって、読み取り手段が各配送装置のバーコードから配送装置の識別データを読み取りながら、情報送信装置が各配送装置に情報を送信することができるようになる。このため、管理データの送信に際して必要な識別データの取得を、より簡易に行うことができるようになる。
【００１７】
請求項６に係る情報送信装置は、請求項２から５のいずれかに記載の情報送信装置であって、情報保持部と情報送信部とに接続された情報取得検知部をさらに備えている。この情報取得検知部は、取得手段が管理データおよび識別データを取得したか否かの判断を行う。そして、情報送信部は、この情報取得検知部の判断に基づいて、配送装置に対する管理データの送信を行う。
【００１８】
ここでは、情報送信装置が情報取得検知部をさらに備えている。この情報取得検知部は、情報保持部と接続されており、情報保持部の取得手段が管理データおよび識別データを取得したか否かを認識することができる。このため、取得手段が管理データや識別データを取得した場合に情報取得検知部はデータを取得したか否かの判断でき、データを送信する準備が完了したか否かを判断することができるため、情報取得検知部と接続されている情報送信部が、この判断結果に基づいて配送装置に対して管理データの送信を行うができるようになる。したがって、ここでの情報送信装置は、データの送信が可能なタイミングを認識することができるようになる。
【００１９】
例えば、送信準備が完了すると自動的に情報送信部が情報を送信するような構成にした場合には、情報保持部の取得手段に対して管理データの入力作業を行うだけで、送信を行う作業を別個に行わなくても、情報送信部に自動的に送信させるようにすることも可能となり、データの送信作業を簡素化することができるようになる。
【００２０】
請求項７に係る情報送信装置は、請求項１から６のいずれかに記載の情報送信装置であって、管理データは、複数の配送装置が配送物の配送において必要とする配送データである。ここでの配送物の配送において必要とする配送データとは、例えば、配送装置の配送先についてのデータや、配送装置が積載されて配送される配送用車輌のデータ等である。
【００２１】
配送物の配送に用いられる複数の配送装置については、各配送装置の配送先や配送の際に用いられる配送用車輌などについての配送データはそれぞれ異なっている。しかし、請求項７に記載の情報送信装置では、このような配送データを各配送装置に送信している。このため、配送物の配送において、配送装置についての取り扱いに間違いが生じることを抑えることができるようになる。
【００２２】
請求項８に係る配送装置は、互いを識別するための識別コードが割り当てられており、配送物の配送に用いられ、情報送信装置からの情報を無線によって受信する配送装置であって、情報判別部と、情報受信部とを備えている。情報判別部は、情報送信装置から無線送信されてくるデータが自己の配送装置についての識別コードを示す識別データを伴っているか否かの判別を行う。情報受信部は、この情報判別部の判別結果に基づいて、データの受信を行う。ここでのデータとしては、例えば、配送装置が配送される配送先に関するデータや配送装置の配送に用いられる搬送用車輌に関するデータ、もしくは、配送物を配送装置に収容した日時、収容された食材種類、鮮度計による計測値、配送元に関するデータ、配送装置内の温度などのデータがある。
【００２３】
送信対象の配送装置が複数存在する場合において情報送信装置が無線による情報の送信を行っている場合には、各配送装置は、自分の配送管理に用いられる管理データを受信できなかったり、自己の管理データ以外の他の配送装置のデータを誤って受信したりする恐れがある。また、情報送信装置と一つ一つの配送装置とを有線接続してデータの入力を行うという作業は非常に繁雑である。
【００２４】
しかし、請求項８に記載の配送装置では、各配送装置に互いを識別するための識別コードが割り当てられているため、各配送装置は、この識別コードによって互いに識別されるようになっている。そして、情報送信装置は、各配送装置に対して、管理データのみでなく、各管理データに各配送装置の識別データを対応させて無線送信する。ここで、配送装置の情報判別部が、送信されてきたデータが自分の識別コードを示す識別データを伴っているか否かの判別を行う。そして、配送装置の情報受信部は、この情報判別部の判別結果に基づいて、データの受信を行う。このため、配送装置は、自己の配送管理に用いられる管理データを受信することができるようになり、簡易な作業で、送信対象に間違いが生じることを抑えることができるようになる。
【００２５】
請求項９に係る情報送信システムは、複数の配送装置と、情報送信装置とを備えている。複数の配送装置は、配送物の配送に用いられるものであり、互いを識別するための識別コードが割り当てられている。情報送信装置は、複数の配送装置の配送管理に用いられる管理データを、各配送装置の識別コードを示す識別データと対応させて複数の配送装置に対して無線によって送信する。ここでの管理データとしては、例えば、配送装置が配送される配送先に関するデータや配送装置の配送に用いられる搬送用車輌に関するデータ、もしくは、配送物を配送装置に収容した日時、収容された食材種類、鮮度計による計測値、配送元に関するデータ、配送装置内の温度などのデータがある。
【００２６】
送信対象の配送装置が複数存在する場合において情報送信装置が無線による情報の送信を行っている場合には、それぞれの配送装置が必要としており配送装置毎に異なる管理データを各配送装置に対して送信できなかったり、目的とする送信対象の配送装置以外の配送装置に対して誤ったデータを送信してしまったりする恐れがある。また、情報送信装置と一つ一つの配送装置とを有線接続してデータの入力を行うという作業は非常に繁雑である。
【００２７】
しかし、請求項９に記載の情報送信システムでは、複数の配送装置が互いを識別するための識別コードを有しているため、複数の配送装置は、この識別コードによって互いに識別されるようになっている。そして、情報送信装置は、複数の配送装置に対して、配送装置の配送管理に用いられる管理データのみを送信するのではなく、各管理データに各配送装置の識別データを対応させて送信する。このため、情報送信装置は、各配送装置に対して対応する管理データを送信することができるようになり、簡易な作業で、送信対象に間違いが生じることを抑えることができるようになる。
【００２８】
請求項１０に係る情報送信方法は、情報送信装置から複数の配送装置に対して情報を送信する情報送信方法であって、以下の第１ステップと、第２ステップとを有している。ここで、複数の配送装置は、配送物の配送に用いられるものであり、互いを識別するための識別コードが割り当てられている。
第１ステップでは、情報送信装置が、複数の配送装置の配送管理に用いられる管理データを、識別コードを示す識別データとともに複数の配送装置に対して送信する。ここでの管理データとしては、例えば、配送装置が配送される配送先に関するデータや配送装置の配送に用いられる搬送用車輌に関するデータ、もしくは、配送物を配送装置に収容した日時、収容された食材種類、鮮度計による計測値、配送元に関するデータ、配送装置内の温度などのデータがある。
【００２９】
第２ステップでは、送信されてきた管理データが自己の識別コードを示す識別データを伴っている場合に、配送装置がその管理データを受信する。
送信対象の配送装置が複数存在する場合において情報送信装置が無線による情報の送信を行っている場合には、それぞれの配送装置が必要としており配送装置毎に異なる管理データを各配送装置に対して送信できなかったり、目的とする送信対象の配送装置以外の配送装置に対して誤ったデータを送信してしまったりする恐れがある。また、情報送信装置と一つ一つの配送装置とを有線接続してデータの入力を行うという作業は非常に繁雑である。
【００３０】
しかし、請求項１０に記載の情報送信方法では、複数の配送装置が互いを識別するための識別コードを有しているため、複数の配送装置は、この識別コードによって互いに識別されるようになっている。ここで、第１ステップでは、情報送信装置が、複数の配送装置に対して、配送装置の配送管理に用いられる管理データのみを送信するのではなく、各配送装置の識別データについても送信する。そして、第２ステップによって、各配送装置は、自己の配送管理に用いられる管理データを受信することができる。このため、各配送装置は、自分の配送管理に用いられる管理データを受信することができるようになり、簡易な作業で、送信対象に間違いが生じることを抑えることができるようになる。
【００３１】
請求項１１に係る情報送信システムは、複数の配送装置と、情報送信装置とを備えている。複数の配送装置は、配送物の配送に用いられるものであって、互いを識別するための識別コードが割り当てられている。情報送信装置は、識別コードを示す識別データを自己に返信させるための信号を、複数の配送装置に対して送る。そして、情報送信装置は、配送装置からの返信される識別データに基づいて送信対象の配送装置を定め、定められた配送装置の配送管理に用いられる管理データを、識別データと対応させて定められた配送装置に対して無線によって送信する。ここでの管理データとしては、例えば、配送装置が配送される配送先に関するデータや配送装置の配送に用いられる搬送用車輌に関するデータ、もしくは、配送物を配送装置に収容した日時、収容された食材種類、鮮度計による計測値、配送元に関するデータ、配送装置内の温度などのデータがある。
【００３２】
送信対象の配送装置が複数存在する場合において情報送信装置が無線による情報の送信を行っている場合には、それぞれの配送装置が必要としており配送装置毎に異なる管理データを各配送装置に対して送信できなかったり、目的とする送信対象の配送装置以外の配送装置に対して誤ったデータを送信してしまったりする恐れがある。また、情報送信装置と一つ一つの配送装置とを有線接続してデータの入力を行うという作業は非常に繁雑である。
【００３３】
しかし、請求項１１に記載の情報送信システムでは、複数の配送装置が互いを識別するための識別コードを有しているため、複数の配送装置は、この識別コードによって互いに識別されるようになっている。ここで、情報送信装置は、識別コードを示す識別データを自己に返信させるための信号を、複数の配送装置に対して送る。そして、情報送信装置から信号が送られてきた各配送装置は、情報送信装置に対して、自己に割り当てられている識別コードを示す識別データを返信する。これにより、情報送信装置は、配送装置から返信される識別データに基づいて送信対象の配送装置を定めることができ、この定められた配送装置の配送管理に用いられる管理データを、その配送装置の識別データと対応させて無線によって送信することができるようになる。このように、ここでは、情報送信装置が送信対象の保冷庫が実在することを確認しながら管理データの送信を行うことができ、一度確立された通信に基づいて再度の管理データの送信を行うので、管理データの送信の確実性を向上させることができる。したがって、簡易な作業で、送信対象に間違いが生じることをより確実に抑えることができるようになる。
【００３４】
なお、ここでの情報送信装置がデータの送信を行う対象である配送装置の定め方は、例えば、返信が最も早く情報送信装置に帰ってきた配送装置に設定する等により定めることができる。この場合には、識別コードを情報送信装置に対して入力する作業を削減することができるようになり、簡易に送信対象の配送装置を定めることが可能となる。
【００３５】
【発明の実施の形態】
〔本実施形態における物流の概略〕
本発明の一実施形態に係る物流サイクルの情報管理システムの概略を、図５に示す。
ここに示す物流サイクルでは、まず、物品３０を収容した保冷庫１が、搬送用車輌３０１のコンテナ３０２内に収納され（図４）、供給元であるカミサリー１０１から供給先である店舗２０１に向けて搬送される。搬送用車輌３０１が店舗２０１に到着すると、当該店舗２０１に配送すべき保冷庫１が、搬送用車輌３０１から下ろされる。そして、この店舗２０１において保冷庫１に収容されていた物品３０が消費された時又は一定の契約時間が終了した時に、保冷庫１の回収が行われる。回収は、保冷庫１を搬送用車輌３０１に積載して、カミサリー１０１へと運ぶことにより行われる。
【００３６】
保冷庫１に収容される物品３０については、出荷時、搬送時、納品時の各段階において、庫内温度情報などの情報が保冷庫１の記憶装置１５の温度履歴記憶部に記録される。そして、このような情報は、保冷庫１に備わる保冷庫通信装置１３によって、店舗２０１やカミサリー１０１などに対して送信される。
このような物流システムにおいては、出荷前においては、物品３０を保冷庫１に収容した日時、収容された食材種類、鮮度計による計測値、カミサリー１０１に関するデータ、保冷庫内の温度などのデータの入力作業が行われる。また、出荷前には、保冷庫１の配送先である店舗２０１のデータや保冷庫１の配送に用いられる搬送用車輌３０１のデータである管理データＡを各保冷庫１に入力するデータ入力作業も行われる。すなわち、各保冷庫１はどこの店舗２０１にどの搬送用車輌３０１を用いて配送されるのかについての管理データＡが、各保冷庫１に入力される。このデータ入力作業は、バーコード１１の読み取りが可能なデータ設定装置２２によって行われる（図９参照）。以後、保冷庫１は、この入力された管理データＡに従って配送される。
【００３７】
また、保冷庫１に設けられた記憶装置１５に記憶された情報をもとに、カミサリー１０１や、情報管理センター４０１において物流システムの情報管理を行う。
以下、本実施形態における各構成の詳細を説明する。
〔保冷庫について〕
本発明の一実施形態に係る保冷庫１を、図１〜図４に示す。保冷庫１は、その内部に、搬送・保管時に低温を維持する必要がある食品などの物品３０を収納する。そして、保冷庫１は、物品を収納した状態で店舗２０１などの配送先に運ばれ、物品３０を納品する役割を果たす。この保冷庫は、物流に用いられるものであるため、コールドロールボックス（ＣＲＢ）とも呼ばれている。
【００３８】
図１に示すように、保冷庫１は、構造的には、筐体２と、筐体２の前面に開閉自在に取り付けられるドア３と、筐体２の下面に取り付けられる移動用のキャスター部４とから構成されている。また、保冷庫１は、各種情報を表示するための表示パネル５、電源供給を受けるための電源レセプタクル６、制御部１０などを備えており、各保冷庫１には、外部から視認できるような位置に、固有な識別データＢを示すバーコード１１が貼り付けられている。
【００３９】
＜筐体＞
筐体２は、断熱性の高い材料で構成されており、ドア３を閉止した場合に内部が気密状態を維持するように構成される。図２に示すように、筐体２の内部は、物品を収納するための収納用空間７となっている。また、筐体２の内部には、収納用空間７を低温に維持するための蓄冷剤８が設けられている。さらに、収納用空間７の上部には、蓄冷剤８を冷却するための圧縮機９等が設けられている。
【００４０】
＜表示パネルおよび電源レセプタクル＞
表示パネル５は、庫内温度、モード、バッテリー交換が必要な旨の警告などの表示を行う。また、保冷庫１の配送先である店舗２０１の表示や配送に用いられる搬送用車輌３０１の表示なども行う。
電源レセプタクル６には、配送元となるカミサリー（一次加工工場）１０１や配送先となる店舗２０１からの電源線が接続される。この電源レセプタクル６は、圧縮機９への電源供給を行うと共に、制御部１０のバックアップ電源であるバッテリー（図示せず）への充電を行う。このように、カミサリー１０１や店舗２０１において、電源線が接続された状態で、配送中の保冷能力を確保するために、保冷庫１において圧縮機９等による蓄冷剤８の予冷が行われる。
【００４１】
＜制御部＞
保冷庫１の制御部１０は、ＣＰＵ、ＲＯＭ、ＲＡＭなどにより作動するプログラムに従って各種制御を行うものであって、図３に示すように、温度センサ１８、開閉センサ１９、バーコードリーダ２０、表示パネル５、圧縮機駆動部２１を介して圧縮機９などと保冷庫１内において接続されている。また、制御部１０は、保冷庫通信装置１３、情報判断部１４、記憶装置１５などを備えている。
【００４２】
保冷庫通信装置１３は、カミサリー１０１内に設置された通信ユニット１１０、店舗２０１内に設置された通信ユニット２１０、および車載通信ユニット３１０などとの近距離通信が可能な通信装置であり、Ｂｌｕｅｔｏｏｔｈ、ＨｏｍｅＲＦ、ＩＥＥＥ８０２．１１Ｂなどの電波を用いた無線通信装置や、ＩｒＤＡなどの赤外線を用いた無線通信装置を採用し得る。また、保冷庫通信装置１３は、バーコード１１の読み取りが可能なデータ設定装置２２との間で近距離通信が可能となっており、データ設定装置２２から管理データＡを受信することができる。
【００４３】
情報判断部１４は、送信されてきた管理データＡが自己の識別データＢを伴っているものか否かの判断を行う。そして、情報判断部１４が、送信されてきた情報が自己の識別データＢを伴っていると判断した場合に、保冷庫通信装置１３はその管理データＡを受け取ることができる。すなわち、情報判断部１４は、保冷庫通信装置１３に、各保冷庫１に貼り付けられているバーコード１１の識別データＢに基づいた通信を行わせることができる。
【００４４】
記憶装置１５は、管理データ記憶部１５ａと、物品情報記憶部１５ｂと、温度履歴記憶部１５ｃとを有している。管理データ記憶部１５ａは、保冷庫１が配送される配送先の店舗２０１に関するデータや配送に用いられる搬送用車輌３０１に関するデータなどの管理データＡを格納する。物品情報記憶部１５ｂは、配送元であるカミサリー１０１において入力作業が行われ、物品３０を保冷庫１に収容した日時、収容された食材種類、鮮度計による計測値、カミサリー１０１に関するデータ、保冷庫内の温度などのデータ、または保冷庫内に積載される物品リスト等の情報を格納する。温度履歴記憶部１５ｃは、搬送中および配送先における保冷庫１の状態情報や内部の物品３０に関する状態情報などの各種データを格納する。このような記憶装置１５としては、プログラムを作動させるためのＲＡＭと共用することも可能であるし、ＥＥＰＲＯＭやフラッシュメモリなどの書換可能なＲＯＭを用いることも可能であるし、ハードディスク（ＨＤ）、フレキシブルディスク（ＦＤ）、光磁気ディスク（ＭＯ）などの記録媒体を駆動するドライブを用いることも可能である。ここでは、記憶装置１５として、ＥＥＰＲＯＭを採用している。
【００４５】
圧縮機９は、制御部１０に対して圧縮機駆動部２１を介して接続されており、圧縮機駆動部２１による動作制御により、冷媒を介して蓄冷剤８の冷却を行う。
温度センサ１８は、庫内温度を計測するためのものであり、収納用空間７に配置されている。検出した庫内温度値は、庫内温度の時系列データとして、庫内温度履歴記憶部１５ｃに記憶されることになる。庫内温度履歴記憶部１５ｃには、このように庫内温度履歴情報が記憶されていくが、カミサリー通信ユニット１１０経由で情報管理センター４０１の管理コンピュータ４０１ａへと庫内温度履歴情報を送った後には、庫内温度履歴記憶部１５ｃからそれまでの庫内温度履歴情報が消去される。
【００４６】
開閉センサ１９は、ドア３が筐体２に対して密閉状態であるか否かを検出するためのセンサであり、光電スイッチや近接スイッチなどのセンサデバイスが採用される。
バーコードリーダ２０は、カミサリー１０１において出荷される際に、庫内に積載される物品リストを入力するためのものである。ここでの物品３０についての情報は、物品情報記憶部１５ｂに格納される。物品３０についての情報としては、このほか積込日時、食材の種類などの情報が挙げられる。バーコードリーダ２０は、バーコードリーダ用のインターフェイスのみが搭載されている構成であってもよい。
【００４７】
＜バーコード＞
バーコード１１は、図１に示すように、各保冷庫１に外部から視認できるように貼り付けられており、保冷庫１ごとに固有の識別コードを示すものとして機能するものである。このバーコード１１は、データ設定装置２２に読み取らせることにより、データ設定装置２２に、管理データＡの送信対象となる保冷庫１を特定させる役割を果たしている。
【００４８】
〔データ設定装置について〕
データ設定装置２２は、コード通信部２３と、データ取得検知部２４と、データ保持部２５などを備えている。
コード通信部２３は、保冷庫１の制御部１０の保冷庫通信装置１４に対して、管理データＡを識別データＢとともに無線によって送信する。ここでの管理データＡは識別データＢに対応するものとなっている。また、コード通信部２３は、データ取得検知部２４と接続されており、データ取得検知部２４の検知結果に基づいて管理データＡの送信を行う。
【００４９】
データ取得検知部２４は、データ保持部２５と接続されており、データ保持部２５において管理データＡと識別データＢとの取得が行われたか否かの検知を行う。また、データ取得検知部２４は、上述のとおりコード通信部２３と接続されているので、管理データＡと識別データＢとの取得が行われた場合に、コード通信部２３に対してその旨を通知することができる。
【００５０】
データ保持部２５は、データ取得検知部２４と接続されており、管理データ入力部２６と、管理データ保持部２７と、バーコード読み取り部２８と、識別データ保持部２９などとからなる。管理データ入力部２６は、キーボードなどの入力手段を有しており、保冷庫１の配送先である店舗２０１についてのデータや配送に用いられる搬送用車輌３０１のデータなどからなる管理データＡについての入力が可能となっている。また、キーボードなどの入力手段のほかに、バーコード化された管理データＡを読み取ることで入力する構成であってもよく、ハードディスク（ＨＤ）、フレキシブルディスク（ＦＤ）、光磁気ディスク（ＭＯ）などの記録媒体を介して入力する構成であってもよい。管理データ保持部２７は、管理データ入力部２６に入力された管理データＡを格納する。バーコード読み取り部２８は、バーコード１１を読み取り可能な赤外線センサ（図示せず）などからなり、各保冷庫１に張り付けられたバーコード１１に近づけられてバーコード１１を読み取る。識別データ保持部２９は、バーコード読み取り部２８によって読み取られたバーコード１１の示す当該保冷庫１の識別データＢを格納する。
【００５１】
なお、管理データ保持部２７に管理データＡが格納されている状態において、バーコード読み取り部２８が保冷庫１のバーコード１１を読み取った場合には、これが合図となって、コード通信部２３が、そのバーコード１１の示す識別コードＢと、その識別コードＢに対応する管理データＡとを、そのバーコード１１が貼り付けられている保冷庫１に対して送信するようにすることができる。
【００５２】
〔物流サイクルの情報管理システムについて〕
図５に保冷庫１を用いた物流サイクルの情報管理システムの概要構成を示す。
＜カミサリーにおける出荷時の構成＞
カミサリー１０１には、図３に示すように、カミサリー通信ユニット１１０が設置されている。カミサリー通信ユニット１１０は、複数の保冷庫１に対して無線で通信を行う無線通信装置１１１を有している。この無線通信装置１１１は、Ｂｌｕｅｔｏｏｔｈの技術を用いて、通信が可能な近距離に保冷庫１が存在する場合に自動的に通信を確立し、保冷庫１の保冷庫通信装置１３と双方通信する。これにより、カミサリー通信ユニット１１０は、保冷庫１に搭載されている保冷庫通信装置１３との間でデータの送受信ができる。
【００５３】
また、カミサリー通信ユニット１１０は、インターネットなどを介して情報管理センター４０１の管理コンピュータ４０１ａとのデータの送受信が可能である。具体的には、カミサリー通信ユニット１１０は、カミサリー１０１内に設置されたルータやモデムなどを介してインターネット接続が可能であり、必要に応じて情報管理センター４０１との間でデータ送受信を行うように構成されている。
【００５４】
カミサリー１０１において保冷庫１内に積み込まれる物品３０には、積込日時、食材種類、鮮度計により計測されたＫ値、カミサリー番号、庫内温度などがバーコード化されたバーコードシール３１が貼着される。保冷庫１に積み込まれる物品が食品である場合には、鮮度計によりＫ値の測定を行い、積込時の初期Ｋ値として記録される。このＫ値や食材種類などのデータが、バーコード化されている。すなわち、出荷時においては、バーコードリーダ２０によって各物品３０のバーコードシール３１のデータが読み込まれ、記憶装置１５（図３参照）の物品情報記憶部１５ｂに格納される。保冷庫１に積み込まれる物品３０のバーコードシール３１は、一点ずつ読み込むことも可能であるし、各物品３０に関する情報をリスト化したバーコードリスト３３を作成しておき、このバーコードリスト３３をバーコードリーダ２０によって読み取って記憶装置１５に格納するように構成することも可能である。
【００５５】
また、図９および図１０に示すように、カミサリー１０１において物品３０が収容される各保冷庫１には、各保冷庫１を識別できるバーコード１１が貼り付けられている。出荷時においては、まず、データ設定装置２２の管理データ入力部２６に、各保冷庫１の管理データＡの入力が行われ、管理データ保持部２７に、そのデータが記憶される。また、出荷時においては、サービスエンジニアが、データ設定装置２２を用いて、データ設定装置２２のバーコード読み取り部２８に各保冷庫１のバーコード１１の識別データＢを読み込ませる。そして、この読み込まれた識別データＢは、識別データ保持部２９に格納される。これにより、データ設定装置２２のデータ取得検知部２４が、その識別データＢと、その識別データＢに対応する管理データＡが取得されていることを検知して、コード通信部２３に知らせる。これによって、コード通信部２３は、その保冷庫１の保冷庫通信装置１３に対して、その識別データＢと、その識別データＢに対応する管理データＡとを送信する。このようにして、管理データＡは、記憶装置１５の管理データ記憶部１５ａに格納される。
【００５６】
なお、上述のようにして保冷庫１が入手した管理データＡは、保冷庫１の表示パネル５に表示され、例えば、「○○店舗２０１行き」であるという表示や、「××搬送用車輌３０１に収納」という表示がなされる。これにより、保冷庫１の正確な搬送作業が行われるようになっている。
＜搬送用車輌における構成＞
カミサリー１０１における物品３０の収納が完了した保冷庫１は、トラックなどの搬送用車輌３０１に積み込まれて出荷される。図４に搬送用車輌の模式図を示す。
【００５７】
この搬送用車輌３０１は、荷台部分にコンテナ３０２を有しており、このコンテナ３０２内に複数の保冷庫１が搭載されている。
保冷庫１の保冷庫通信装置１３とカミサリー通信ユニット１１０との間の通信可能範囲は限られており、保冷庫１が出荷されてカミサリー１０１を離れると、保冷庫通信装置１３とカミサリー通信ユニット１１０との通信が終了するが、保冷庫の制御部１０では、温度センサ１８および開閉センサ１９による搬送中の庫内温度値やドアの開閉状態の監視が為され、庫内温度値については記憶装置１５の庫内温度履歴記憶部１５ｃに庫内温度履歴情報として逐次格納される。庫内温度履歴情報は、一定時間（例えば５分）毎に庫内温度値をサンプリングして記憶装置１５に格納することも可能であるし、温度センサ１８の検出する庫内温度が変化した際にその時刻および庫内温度値を記憶装置１５に格納することも可能である。
【００５８】
搬送用車輌３０１には、保冷庫１の保冷庫通信装置１３と通信可能な車載通信ユニット３１０が搭載されている。この車載通信ユニット３１０は、保冷庫１の保冷庫通信装置１３との近距離通信が可能な無線通信装置を備えており、保冷庫通信装置１３から送信される異常通報や庫内温度情報などを受信することが可能となっている。また、車載通信ユニット３１０は、ＰＨＳや携帯電話などの無線通信機能を備える構成とすることも可能である。この場合、保冷庫通信装置１３から送信されてくる情報に基づいて、情報管理センター４０１などに異常発生の通報を送信することが可能となる。また、ＰＨＳや携帯電話の位置情報提供サービスを利用すれば、車載通信ユニット３１０が搬送用車輌３０１の現在位置を取得して異常通報とともに保冷庫１の現在位置情報を同時に送信するように構成することも可能である。
【００５９】
＜店舗における構成＞
搬送用車輌３０１が物品３０の配送先である店舗２０１に到着すると、保冷庫１の保冷庫通信装置１３が店舗２０１に設置された店舗通信ユニット２１０と通信を開始する。
店舗通信ユニット２１０は、カミサリー通信ユニット１１０と同様の構成であり、保冷庫１の保冷庫通信装置１３との通信が可能な無線通信装置２１１を備えている。この無線通信装置２１１による通信が可能な近距離に保冷庫１が存在する場合に、自動的に通信を確立しデータの送受信を行う。また、店舗通信ユニット２１０は、店舗２０１内に設置されたルータやモデムなどを介してインターネット接続が可能な通信機能を備えており、必要に応じて情報管理センター４０１とのデータ送受信を行うように構成されている。
【００６０】
搬送用車輌３０１が店舗２０１に到着して保冷庫１の保冷庫通信装置１３が店舗通信ユニット２１０との通信を開始すると、保冷庫１の制御部１０はカミサリー１０１で入力された配送先についてのデータやバーコード情報や搬送中の庫内温度履歴情報などを記憶装置１５から読み出して、保冷庫通信装置１３が、店舗通信ユニット２１０に送信する。店舗通信ユニット２１０は、受信した配送先についてのデータやバーコード情報に基づいて物品３０の配送先の間違いや積込ミスなどがないかどうかを確認し、庫内温度履歴情報および出荷時の鮮度情報に基づいて賞味期限を算出し、賞味期限シール３２の出力を行う。この賞味期限シール３２を物品３０に貼り付けることにより、その食品が一定の鮮度を維持可能な時期を確認することが容易となり、食品安全性を高めることができる。
【００６１】
物品３０は、保冷庫１の内部に収納されたまま搬送用車輌３０１から下ろされて、店舗２０１には物品３０が保冷庫１ごと納品される。搬送中の保冷庫１は、開閉センサ１９によりドアの開放があった場合にこれを検出して通報を行うように構成されているが、店舗２０１への納品後はドア開放があっても通報を行わないように設定することが可能である。ただし、一定時間を超えてドアの開放状態が継続した場合に通報が為されるようなオプション設定は可能である。このドア開放の通報を行わないモード設定は、表示パネル５や筐体２のその他の場所に設けられたモード設定スイッチにより設定が可能である。
【００６２】
保冷庫１の店舗２０１への納品後は、制御部１０において、温度センサ１８による庫内温度監視が継続して行われ、温度センサ１８により検出される庫内温度が庫内温度履歴情報として記憶装置１５の庫内温度履歴記憶部１５ｃに逐次格納される。また、保冷庫１の制御部１０は、庫内温度異常が発生した場合には、庫内温度異常の通報を行う。記憶装置１５の庫内温度履歴記憶部１５ｃに格納される庫内温度履歴情報は、搬送中の庫内温度履歴情報と同様に、一定時間（例えば５分）毎に庫内温度値をサンプリングしたものであってもよいし、温度センサ１８の検出する庫内温度値が変化した際の時刻および庫内温度値であってもよい。
【００６３】
店舗２０１において物品３０が消費された後、または契約に基づく保冷庫１の回収期限になると、保冷庫１が搬送用車輌３０１に積み込まれてカミサリー１０１に回収される。搬送用車輌３０１が店舗２０１を離れると、保冷庫１の保冷庫通信装置１３と店舗通信ユニット２１０との間の通信は自動的に終了する。
＜カミサリーにおける回収時の構成＞
カミサリー１０１に回収された保冷庫１の保冷庫通信装置１３は、カミサリー１０１において、カミサリー通信ユニット１１０との通信を開始する。ここで、保冷庫１の保冷庫通信装置１３は、記憶装置１５の庫内温度履歴記憶部１５ｃに格納されている庫内温度履歴情報を読み出してカミサリー通信ユニット１１０に送信し、故障情報がある場合には同時に故障情報についてもカミサリー通信ユニット１１０に送信する。
【００６４】
カミサリー通信ユニット１１０は、受信した庫内温度履歴情報や故障情報などを、情報管理センター４０１に送信する。
＜情報管理センターにおける構成＞
情報管理センター４０１には、管理コンピュータ４０１ａが配備されており、受信した庫内温度履歴情報を分析して、物品３０の鮮度管理情報を生成し、図５に示すように、物流サイクルを管理している物流本部６０１や店舗２０１の経営管理を行っている店舗管理本部７０１に情報提供する。また、故障情報を受信した場合には、メンテナンスを担当するサービスセンター５０１に連絡して適切な処理を手配する。
【００６５】
さらに、管理コンピュータ４０１ａは、図３に示すように、カミサリー通信ユニット１１０経由で各保冷庫１の制御部１０から庫内温度履歴記憶部１５ｃにある庫内温度履歴情報を取得し、それをデータベース４３０に格納する。そして、データベース４３０にある全ての保冷庫１の庫内温度履歴情報を分析することにより、保冷庫１の使用スケジュールや予冷開始時刻を演算したり、保冷庫１の故障あるいは部品交換について予知を行ったりする。
【００６６】
〔保冷庫の制御部の物流サイクル各所における動作〕
保冷庫１の制御部１０の動作について、以下に詳述する。
＜出荷時＞
保冷庫１が内部に物品３０を収納した状態で出荷される際の制御部１０の動作を、図１１に示す。保冷庫１では、制御部１０が冷蔵と冷凍のモード選択を行うことが可能となっている。ステップＳ１１では、カミサリー通信ユニット１１０の無線通信装置１１１から送信されてくる予冷開始命令および設定温度に応じて、制御部１０が、蓄冷剤８を冷却させる必要があるか否かを判別する。制御部１０が蓄冷剤８の冷却処理が必要であると判断した場合には、ステップＳ１２に移行する。ステップＳ１２では、制御部１０が、圧縮機９の制御を行い、蓄冷剤８の冷却処理（凍結処理）を実行して予冷を行う。
【００６７】
ステップＳ１３では、冷却処理（凍結処理）が完了したか否か判別する。凍結処理が完了したと判断した場合にはステップＳ１４に移行する。
ステップＳ１４では、制御部１０が、収納する物品３０のバーコード情報を読み込む。バーコード情報は、前述したように、物品３０の貼り付けられたバーコードシール３１を読み取るように構成することも可能であり、バーコードリスト３３から各情報を読み取るように構成することも可能である。
【００６８】
バーコード情報は、積込日時、食材の種類、鮮度計により計測した初期Ｋ値、カミサリー番号、庫内温度、その他の情報で構成される。ステップＳ１５では、制御部１０が、読み取ったバーコード情報を記憶装置１５に格納する。
ステップＳ１６では、制御部１０が、積込が終了したか否かを判別する。保冷庫１に積み込む物品３０がまだある場合には、ステップＳ１４に移行し、制御部１０によりバーコード情報の読み込みおよび記憶装置１５への格納処理が実行される。
【００６９】
ステップＳ１７では、保冷庫通信装置１３が、データ設定装置２２のコード通信部２３から自己の識別データＢを伴う管理データＡの受信を終えたか否かを判別する。管理データＡの受信を終えたと判断した場合には、ステップＳ１８に移行する。
ステップＳ１８では、各保冷庫１が収納される搬送用車輌３０１および各保冷庫１の配送先のデータが確認され、各保冷庫１の表示パネル５に配送先である店舗２０１のデータと搬送用車輌３０１のデータとが表示される。
【００７０】
ここで、ステップＳ１７におけるデータ設定装置２２から保冷庫１へのデータ送信のフローチャートを、図１２に示す。
カミサリー１０１において物品３０の収容が行われる各保冷庫１には、各保冷庫１を識別できるバーコード１１が貼り付けられており、出荷時においては、サービスエンジニアがデータ設定装置２２のバーコード読み取り部２８を用いて、各保冷庫１のバーコード１１の識別データＢの読み込みを行う（図９および図１０参照）。
【００７１】
例えば、図１２に示すフローの場合には、保冷庫＃１と保冷庫＃２とが、互いに近接して配置されている状態を想定している。そして、図１２では、管理データＡを、保冷庫＃１ではなくて保冷庫＃２に送信したいという場合を考える。この場合には、データ設定装置２２のバーコード読み取り部２８が、保冷庫＃２に張り付けられているバーコード１１を読み取る。これにより、データ設定装置２２は、送信対象の保冷庫＃２の識別コードＢが「ＩＤ＃２」であることを認識する。
【００７２】
そして、この読み込まれた識別データＢ（ＩＤ＃２）は、識別データ保持部２９に格納される。これにより、データ設定装置２２のデータ取得検知部２４が、その識別データＢ（ＩＤ＃２）と、その識別データＢに対応する管理データＡとの両方のデータが取得されているか否かについて判断する。データ取得検知部２４が両方のデータが取得されていると判断した場合に、データ取得検知部２４は、コード通信部２３に対してその識別データＢ（ＩＤ＃２）に対応する管理データＡを知らせる。
【００７３】
そして、データ設定装置２２のコード通信部２３は、識別データＢ（ＩＤ＃２）およびこれに対応する管理データＡを保冷庫＃２の保冷庫通信装置１３に対して送信する。この場合、保冷庫＃２の情報判断部１４においては、自己の識別データＢ（ＩＤ＃２）を伴う管理データＡが送信されてきたと判断して、管理データＡを受信し、その受信確認を自己の識別データＢ（ＩＤ＃２）と共にデータ設定装置２２に対して返信する。一方、保冷庫＃１は、送られてきた管理データＡが自己の識別データＢ（ＩＤ＃１）を伴っていないと判断し、データ設定装置２２に対して返信することなく、そのデータを捨てる。そして、一定時間が経過すると保冷庫＃１は、タイムアウトと判断し、他の管理データＡの送信がなされるのを待つ。
【００７４】
管理データＡの送信が終了したとデータ設定装置２２が判断した場合には、保冷庫＃２に対して、識別データＢ（ＩＤ＃２）と共に伝送終了の通知を行う。この場合、保冷庫＃１についても同様のデータが伝達され得るが、保冷庫＃１においては受信がなされない。そして、受信処理終了と判断した保冷庫＃２は、データ設定装置２２に対して、識別データＢ（ＩＤ＃２）と共に終了確認の通知を行う。
【００７５】
以上のように、データ設定装置２２は、保冷庫１のバーコード１１を読み込むことにより送信対象の保冷庫の識別データＢを認識し、このバーコード１１を読み込むという作業自体が合図となって、データ設定装置２２のコード通信部２３が送信対象の保冷庫１に対して自動的に管理データＡの送信を行う。
これによって、コード通信部２３は、送信対象の保冷庫（保冷庫＃２）の保冷庫通信装置１３に対して、識別データＢ（ＩＤ＃２）と、その識別データＢ（ＩＤ＃２）に対応する管理データＡとを送信する。これによって、この管理データＡは、保冷庫＃２の保冷庫通信装置１３が受信し、保冷庫＃２の記憶装置１５の管理データ記憶部１５ａに格納される。
【００７６】
なお、このようにして送信対象の保冷庫（保冷庫＃２）が入手した管理データＡは、保冷庫＃２の表示パネル５に表示され、例えば、「○○店舗２０１行き」であるという表示や、「××搬送用車輌３０１に収納」という表示がなされる。これにより、搬送用車輌３０１に収納する場合および配送先の店舗２０１において入荷作業を行う場合における、保冷庫１の正確な搬送がなされるようになっている。
【００７７】
＜搬送中＞
搬送中における保冷庫１の制御部１０の動作を、図１３に示す。搬送用車輌３０１に積み込まれて搬送が開始されると、制御部１０は、温度センサ１８による庫内温度監視を開始する。そして、温度センサ１８により検出される庫内温度値は、庫内温度履歴情報として記憶装置１５の庫内温度履歴記憶部１５ｃに逐次格納される。前述したように、一定時間毎に検出温度をサンプリングするように構成することも可能であり、また、一定以上の温度変化が生じた際にその時刻と庫内温度値を格納するように構成することも可能である。
【００７８】
ステップＳ２２では、制御部１０が、温度センサ１８により検出された庫内温度値が異常であるか否かを判断する。庫内温度値が所定の閾値温度を超えた場合には庫内温度異常であると判断し、ステップＳ２３に移行する。ステップＳ２３では、制御部１０が、車載通信ユニット３１０に対し庫内温度異常通報を行う。ここでは、制御部１０が、保冷庫通信装置１３を用いて車載通信ユニット３１０と近距離無線通信を行い、庫内温度異常が発生した旨の通報を通知する。
【００７９】
ステップＳ２４では、制御部１０が、ドアが開放状態であるか否かを判別する。ここでは、筐体２の前面に取り付けられているドア３の開閉状態を検出するための開閉センサ１９の検出信号に基づいてドア３が開放状態であるか否かを判別し、ドア３が開放状態である場合には、ステップＳ２５に移行する。ステップＳ２５では、制御部１０が、車載通信ユニット３１０に対し開放異常通報を行う。ここでは、制御部１０が、保冷庫通信装置１３を用いて車載通信ユニット３１０と近距離無線通信を行い、ドア３が開放状態である旨の通報を通知する。
【００８０】
搬送用車輌３０１が店舗２０１に到着して保冷庫通信装置１３が店舗通信ユニット２１０との通信を開始するまで、制御部１０は、庫内温度値の取得と、庫内温度異常監視およびドアの開閉監視を繰り返す。
＜入荷時＞
搬送用車輌３０１が店舗２０１に到着した際における保冷庫１の制御部１０の動作を、図１４に示す。ステップＳ３１では、制御部１０が、店舗２０１の店舗通信ユニット２１０との通信が可能になったか否かを判別する。保冷庫通信装置１３と店舗通信ユニット２１０との間で通信が確立されると、制御部１０は、通信が可能になったと判断してステップＳ３２に移行する。
【００８１】
ステップＳ３２では、制御部１０が、記憶装置１５に格納されている情報の読み出しを行う。ここでは、カミサリー１０１で入力された物品３０に関するバーコード情報の読み出しを制御部１０が行う。ステップＳ３３では、制御部１０が、読み出された情報を店舗通信ユニット２１０に送信する。
ステップＳ３４では、制御部１０が、物品３０の配送先および保冷庫１内に収納された物品３０の積込ミスがないか否かを判別する。店舗通信ユニット２１０は、保冷庫１側から送信されるバーコード情報により配送されてきた物品３０の確認を行い、誤りがないか否かについての確認結果を送信する。この店舗通信ユニット２１０から送信されてくる確認結果に基づいて、配送先の誤りや積込ミスなどの誤配送があった場合には、ステップＳ３５に移行し、誤配送がなかったと判断した場合には、ステップＳ３６に移行する。
【００８２】
ステップＳ３５では、制御部１０が、誤配送である旨の通知を行う。例えば、保冷庫通信装置１３から車載通信ユニット３１０に対し誤配送である旨の通報を送信し、搬送用車輌３０１のドライバーなどに誤配送を知らせる。また、制御部１０が、店舗通信ユニット２１０に対して誤配送である旨の通報を送信し、店舗２０１の店員に誤配送を知らせるように構成することも可能である。さらに、制御部１０が表示パネル５に誤配送である旨の表示を行うように構成することも可能である。
【００８３】
誤配送でない場合には、保冷庫１は搬送用車輌３０１から下ろされて、店舗２０１に納品される。この後においても、納品後の店舗２０１において制御部１０による庫内温度監視が継続される。
ステップＳ３６では、制御部１０が庫内温度履歴情報を読み出して店舗通信ユニット２１０に送信する。ここでは、記憶装置１５の庫内温度履歴記憶部１５ｃに格納されている搬送中の庫内温度履歴情報が読み出され、制御部１０から店舗通信ユニット２１０に送信される。
【００８４】
ステップＳ３７では、制御部１０が、庫内温度異常が発生したか否かを判別する。温度センサ１８により検出される庫内温度が所定の閾値温度を超えていると判断した場合には、ステップＳ３８に移行する。ステップＳ３８では、制御部１０が、庫内温度異常通報を通知する。例えば、保冷庫通信装置１３を介して店舗通信ユニット２１０に庫内温度異常が発生した旨の通報を送信する。また、表示パネル５に庫内温度異常の表示を行ったり、警報音を鳴らしたりすることによって、店員などに警告することも可能である。
【００８５】
ステップＳ３９では、ドアの開閉監視が解除されたか否かが判別される。表示パネル５に設けられたモードスイッチなどが操作されて、開閉監視が解除されたと判断した場合には、ステップＳ４２に移行する。一方、そうでない場合には、ステップＳ４０に移行する。ステップＳ４０では、制御部１０が、ドアが開放状態であるか否かを判断する。開閉センサ１９の検出信号に基づいてドアが開放状態であると制御部１０が判断した場合には、ステップＳ４１に移行する。ステップＳ４１では、開放異常通報が行われる。ここでは、制御部１０が、保冷庫通信装置１３を介して店舗通信ユニット２１０にドアオープンである旨の通報を送信する。これと同時に、表示パネル５に開放異常の表示を行ったり、警報音を鳴らしたりすることによって、店員などに警告を行うことも可能である。また、ドアの開閉監視が解除されても一定時間を超えてドアの開放状態が継続した場合には、ドア開放異常を通報するように制御部１０を構成することが可能である。
【００８６】
保冷庫１が回収されて店舗２０１を離れると、店舗通信ユニット２１０との近距離通信が不可能となり、制御部１０は通信を終了する。ステップＳ４２では、通信の確立がしているか否かの判断を行い、店舗通信ユニット２１０との通信が確立している間は、ステップＳ３６〜ステップＳ４２の処理を制御部１０が繰り返す。
【００８７】
なお、店舗２０１においては、保冷庫１が長く駐留する場合に、電源レセプタクル６を介して圧縮機９への電源供給を行うと共に、制御部１０のバックアップ電源であるバッテリーへの充電を行う。保冷庫１が店舗２０１に滞在する時間が短い場合には、店舗２０１における電源供給が行われないこともある。
＜回収時＞
カミサリー１０１に回収された後における保冷庫１の制御部１０の動作を、図１５に示す。
【００８８】
ステップＳ５１では、制御部１０が、カミサリー通信ユニット１１０との通信が可能になったか否かの判断を行う。保冷庫通信装置１３によりカミサリー通信ユニット１１０との通信が確立した場合に、制御部１０は、カミサリー通信ユニット１１０との近距離無線通信が可能となったと判断しステップＳ５２に移行する。
【００８９】
ステップＳ５２では、制御部１０が、記憶装置１５の庫内温度履歴記憶部１５ｃに格納されている庫内温度履歴情報を読み出し、これをカミサリー通信ユニット１１０に送信する。この庫内温度履歴情報は、主に保冷庫１が店舗２０１に置かれていた間の庫内温度値に関するものであり、必要に応じてカミサリー１０１から店舗２０１への搬送時における庫内温度履歴情報、店舗２０１からカミサリー１０１への搬送時における庫内温度履歴情報を同時に送信するように構成することも可能である。
【００９０】
ステップＳ５３では、制御部１０が、故障が発生しているか否かの判別を行う。制御部１０が故障である旨の情報を取得した場合には、ステップＳ５４に移行する。ステップＳ５４では、制御部１０が、保冷庫通信装置１３からカミサリー通信ユニット１１０に故障発生の通報を送信する。
〔店舗通信ユニットの動作〕
店舗通信ユニット２１０の動作を、図１６に示す。
【００９１】
ステップＳ６１では、店舗通信ユニット２１０が、保冷庫１の保冷庫通信装置１３との通信が可能になったか否かを判断する。保冷庫１の保冷庫通信装置１３と通信が確立された場合に、店舗通信ユニット２１０は、保冷庫１との通信が可能になったと判断してステップＳ６２に移行する。
ステップＳ６２では、店舗通信ユニット２１０が、保冷庫１の保冷庫通信装置１３から送信されてくるデータを受信する。ここで受信するデータは、保冷庫１の配送先に関するデータや収納されている物品３０のバーコード情報であり、積込日時、食材の種類、初期Ｋ値、カミサリー番号、庫内温度などの情報を含んでいる。
【００９２】
ステップＳ６３では、店舗通信ユニット２１０が、誤配送であるか否かを判断する。受信した物品３０のバーコード情報のうち、積込日時、食材の種類、カミサリー番号などに基づいて、配送先の誤り、積込ミスなどがないかどうかを確認する。もしくは、保冷庫１の配送先に関するデータに基づいて、積込ミスなどがないかどうかを確認する。この確認作業によって、誤配送があると判断した場合にはステップＳ６４に移行し、誤配送がないと判断した場合にはステップＳ６５に移行する。
【００９３】
ステップＳ６４では、店舗通信ユニット２１０が、配送先の誤りや積込ミスがあるなどの誤配送通知を保冷庫１の保冷庫通信装置１３に送信する。
ステップＳ６５では、店舗通信ユニット２１０が、配送が正常に行われた旨の配送確認通知を送信し、保冷庫１から送信されてくる庫内温度履歴情報を受信する。
【００９４】
ステップＳ６６では、店舗通信ユニット２１０が、物品３０毎に賞味期限の判定を行う。例えば、図１８に示すように、物品３０のバーコード情報中に含まれる初期Ｋ値と搬送中の庫内温度履歴情報とに基づいて、現在の鮮度情報（Ｋ値）と、Ｋ値が一定値（鮮度基準）を超える時期とを推定し、この時期を賞味期限として設定する。
【００９５】
ステップＳ６７では、店舗通信ユニット２１０が、算出された賞味期限に基づいて賞味期限シールの作成を行う。そして、物品３０毎にそれぞれ算出された賞味期限情報を賞味期限シール３２に出力する。
ステップＳ６８では、店舗通信ユニット２１０が、保冷庫１から取得した庫内温度履歴情報を情報管理センター４０１に送信する。
【００９６】
ステップＳ６９では、店舗通信ユニット２１０が、庫内温度異常通報を受信したか否かを判断する。制御部１０が保冷庫１の保冷庫通信装置１３から庫内温度異常通報を受信した場合には、ステップＳ７０に移行する。ステップＳ７０では、庫内温度異常が発生した旨の表示や警告音の発生を行って店員に知らせる。また、ステップＳ７０では、さらに店舗通信ユニット２１０が情報管理センター４０１に庫内温度異常が発生した旨の通報を送信するように構成することが可能である。
【００９７】
ステップＳ７１では、店舗通信ユニット２１０が、開放異常通報を受信したか否かを判断する。保冷庫１の保冷庫通信装置１３から制御部１０が開放異常通報を受信した場合には、ステップＳ７２に移行する。ステップＳ７２では、店舗通信ユニット２１０が、ドアオープンである旨の表示や警告音の発生を行って店員に知らせる。また、ステップＳ７２では、さらに店舗通信ユニット２１０が情報管理センター４０１に開放異常が発生した旨の通報を送信するように構成することが可能である。
【００９８】
ステップＳ７３では、店舗通信ユニット２１０が、保冷庫１の保冷庫通信装置１３との通信が確立しているか否の判断を行い、通信が可能な状態であればステップＳ６９に移行してそれ以降の処理を繰り返す。
〔情報管理センターの基本動作〕
情報管理センター４０１の管理コンピュータ４０１ａにおける動作を、図１７に示す。
【００９９】
情報管理センター４０１では、ステップＳ８１において庫内温度履歴情報を受信したか否かを判断する。庫内温度履歴情報を受信した場合には、ステップＳ８２に移行する。ステップＳ８２では、受信した庫内温度履歴情報を分析して温度管理情報や鮮度管理情報などを作成する。作成された温度管理情報や鮮度管理情報などは、物流サイクルを管理する物流本部６０１や店舗２０１の経営管理を行う店舗管理本部７０１などに情報管理センター４０１から提供される。
【０１００】
ステップＳ８３では、情報管理センター４０１が、故障通報を受信したか否かを判断する。保冷庫１に故障が発生した旨の通報を受信した場合には、ステップＳ８４に移行する。ステップＳ８４では、メンテナンスを担当するサービスセンター５０１に故障が発生した旨の通報を情報管理センター４０１が行う。この通報は、情報管理センター４０１の管理コンピュータ４０１ａが自動的にサービスセンター５０１のホストコンピュータに通報を送信するように構成することも可能であり、またサービスエンジニアの携帯端末などに通報を送信するように構成することも可能である。
【０１０１】
ステップＳ８５では、管理コンピュータ４０１ａが、庫内温度異常通報を受信したか否かを判断する。庫内温度異常通報を受信した場合には、ステップＳ８６に移行する。ステップＳ８６では、管理コンピュータ４０１ａが、庫内温度異常に対応するための処理を実行する。例えば、保冷庫１を搬送中の搬送用車輌３０１に搭載されている車載通信ユニット３１０から庫内温度異常通報を受信した場合には、管理コンピュータ４０１ａが、当該車載通信ユニット３１０に警告の通報を送信するか、あるいはその搬送用車輌３０１のドライバーが携帯している携帯端末に通報を送信する。また、納品先の店舗２０１に設置されている店舗通信ユニット２１０からの庫内温度異常通報を受信した場合には、管理コンピュータ４０１ａが、その店舗通信ユニット２１０に警告の通報を送信するか、あるいはその店舗２０１に設置されている他の通信装置に通報を送信する。
【０１０２】
ステップＳ８７では、管理コンピュータ４０１ａが、開閉異常通報を受信したか否かを判断する。開放異常通報を受信した場合には、ステップＳ８８に移行する。ステップＳ８８では、管理コンピュータ４０１ａが、開放異常に対応するための処理を実行する。例えば、保冷庫１を搬送中の搬送用車輌３０１に搭載されている車載通信ユニット３１０から開放異常通報を受信した場合には、当該車載通信ユニット３１０に警告の通報を送信するか、あるいはその搬送用車輌３０１のドライバーが携帯している携帯端末に通報を送信する。また、納品先の店舗２０１に設置されている店舗通信ユニット２１０からの開放異常通報を受信した場合には、その店舗通信ユニット２１０に警告の通報を送信するか、あるいはその店舗２０１に設置されている他の通信装置に通報を送信する。
【０１０３】
〔特徴〕
（１）
このデータ設定装置２２では、保冷庫１に対して管理データＡを設定するに際して、管理データＡのみを送信するのではなく、管理データＡに識別データＢを対応させて両方とも送信している。これにより、管理データＡの送信に識別データＢを伴わせるだけで、送信対象の保冷庫１を特定した通信が行われ、管理データＡの送信対象を誤るというミスを削減することができるようになる。したがって、簡易な作業で、管理データＡの設定作業に間違いが生じることを抑えることができる。
【０１０４】
（２）
このデータ設定装置２２では、データ取得検知部２４がデータを取得したと判断することが合図となって、データ設定装置２２のコード通信部２３が自動的に情報を送信することができるようになる。したがって、サービスエンジニアはデータ設定装置２２に保冷庫１のバーコード１１を読み込ませるという作業を行うだけでよく、その後は、データ設定装置２２のコード通信部２３が自動的に、送信対象の保冷庫１の保冷庫通信装置１３に対して管理データＡを送信することができるようになる。このため、別途、データを送信するという作業を行う必要がなくなる。このため、各保冷庫１に対して管理データＡの設定を行う作業について、より簡易な作業で行うことができるようになる。
【０１０５】
（３）
従来のデータ設定装置においては、互いに近接して存在する保冷庫１に対してそれぞれの管理データＡをデータ設定装置２２から入力する場合には、一度、的確にデータ設定されたにもかかわらず、その後他の保冷庫の管理データＡが上書きされて、誤ったデータが設定されてしまう恐れがある。
【０１０６】
しかし、本実施形態に係るデータ設定装置２２においては、送信対象の保冷庫１が特定されて通信が行われているため、このような誤った対象に対するデータの上書きを無くすることが可能となる。
〔他の実施形態〕
（Ａ）
上記実施形態は、データ設定装置２２が保冷庫１のバーコード１１を読み込むことにより送信対象の保冷庫１を認識し、このバーコード１１の読み込み作業自体が合図となって、データ設定装置２２が自動的に管理データＡの送信を行うという構成になっている。
【０１０７】
しかし、図１９に示すように、データ設定装置２２が対象となりうる複数の保冷庫１に対して各識別コードＢを返信させる旨の信号（Ｅ）を送信する構成を採用することもできる。これにより、識別コードＢの返信が最も早くなされた保冷庫１を送信対象と定めて、その保冷庫１からの返信を合図に、データ設定装置２２がその保冷庫１について識別データＢと対応させた管理データＡを送信するという構成にすることも可能である。
【０１０８】
ここでは、図１９に示すように、対象を定めての近距離無線通信ができないほど保冷庫＃１と保冷庫＃２とが近接して存在している場合に、データ設定装置２２が、ひとまずその両方に対してＩＤ返信要求（Ｅ）を送信する。そして、先にＩＤの返信を受けた方の保冷庫（保冷庫＃２）を、データ設定装置２２が送信対象と定めて、その保冷庫（保冷庫＃２）の管理データＡをそのＩＤ（ＩＤ＃２）と共にその先に返信を受けた方の保冷庫（保冷庫＃２）に対して送信する。以下は、上記実施形態と同様である。
【０１０９】
この場合には、送信対象の保冷庫１が実在することを確認しながら（近距離無線通信圏内に送信対象が存在することを確認しながら）管理データＡの送信を行うことができ、一度確立された通信に基づいて再度の管理データＡの送信を行うので、管理データＡの送信の確実性を向上させることができる。
なお、この場合には、上記実施形態におけるデータ設定装置２２によるバーコードの読み取り作業をなくすることができるので、その分、データ送信作業を簡易にすることができる。また、データ設定装置２２に対して識別データＢを一つ一つボタン入力する等の作業を行わなくても、無線によって送信対象の保冷庫１の識別データを容易に獲得することができる。
【０１１０】
（Ｂ）
また、図２０に示すように、データ設定装置２２において、初めから送信対象の保冷庫（保冷庫＃２）を定めておいて、その送信対象の保冷庫（保冷庫＃２）についての識別データＢ（ＩＤ＃２）と共に対応する管理データＡを送信するという構成にしてもよい。ここでは、図２０に示すように、まず、データ設定装置２２が、送信対象の保冷庫（保冷庫＃２）を定めて、その保冷庫に向けてデータを送信する旨の通知を行う。そして、送信対象の保冷庫（保冷庫＃２）からの応答が返ってくることを確認し、これを合図にして、データ設定装置２２が、保冷庫＃２に対して管理データＡの送信を行う。以下は、上記実施形態と同様である。このようなデータ送信形態においても、データの送信作業を簡素化させることができる。
【０１１１】
また、ここでは、初めにデータ送信通知を行って、保冷庫＃２からの返信があることを確認した後に管理データＡの送信を行っているが、このような確認作業を行わないで、初めから、送信対象の保冷庫（保冷庫＃２）に対してその識別データＢと管理データＡとを一緒に送信するようにしてもよい。この場合には、保冷庫側において、管理データＡの受信を行う際に自己の識別データＢを伴っているか否か判断し、この判断に基づいて受信するか否かを決定できるようにする。なお、送信対象の保冷庫（保冷庫＃２）の識別データＢ（ＩＤ＃２）をデータ設定装置２２のボタン部分等の入力部から入力する等の動作を合図として、データ設定装置２２が、その識別データＢ（ＩＤ＃２）を有する保冷庫（保冷庫＃２）に対して管理データＡを送信するような構成としてもよい。以上のようなデータ送信形態においても、データの送信作業をさらに簡素化させることが可能である。
【０１１２】
（Ｃ）
上記実施形態では、保冷庫１の配送先の店舗２０１のデータや配送に用いられる搬送用車輌３０１のデータ等の保冷庫１の運搬に必要な管理データＡについては、データ設定装置２２が保冷庫１の保冷庫通信装置１３に対して送信して、保冷庫１の記憶装置１５に格納し、物品３０についての積込日時等のデータについては、保冷庫１のバーコードリーダ２０から読み込まれることで保冷庫１の記憶装置１５に格納されている。
【０１１３】
しかし、管理データＡおよび物品３０についてのデータ等の記憶装置１５が格納することとなる全てのデータを、データ設定装置２２から取得するような構成にしてもよい。この場合、物品３０の収容日時、収容された食材種類、鮮度計による計測値、カミサリー１０１に関するデータ、保冷庫内の温度などのデータの出荷前における入力作業についても、データ設定装置２２のみを用いて行うことが可能となる。これにより、保冷庫１のバーコードリーダ２０が無くても、上記実施形態と同様な効果が得られることになる。
【０１１４】
また、配送される物品３０についてのデータをデータ設定装置２２において全て読み取った後に、それらの物品３０が収容される保冷庫１の保冷庫通信装置１３に対して、その保冷庫１の識別データＢと共にこれらの物品３０に付いてのデータを送信するように設定してもよい。さらに、この場合においても、保冷庫１の管理データＡについても、保冷庫１の識別データＢと共に同時に送信することも可能である。
【０１１５】
（Ｄ）
保冷庫１を搬送する手段として、車輌を例としてあげたが、輸送手段は車輌に限定されるものではなく、船舶や航空機でもよい。
（Ｅ）
上述の実施形態では、識別コードの設けられた保冷庫１について例示しているが、大型の冷凍コンテナや保冷機能を備えた車輌である保冷車自体に対してもバーコードを貼り付ける等して、上記実施形態と同様の構成を採用することも可能である。
【０１１６】
この場合であっても、搬送中の温度異常通報、開放異常通報、入荷時における誤配送通知、温度履歴情報に基づく賞味期限判定などの処理を前述と同様にして行うことが可能である。また、帰還した保冷車から温度履歴情報を吸い上げることにより、温度管理情報や鮮度管理情報などの分析を行うことが可能となり、故障通報よりメンテナンスを迅速に行うことが可能となる。
【０１１７】
【発明の効果】
請求項１に係る情報送信装置では、情報送信装置は、各配送装置に対して対応する管理データを送信することができるようになり、簡易な作業で、送信対象に間違いが生じることを抑えることができるようになる。
請求項２に係る情報送信装置では、情報保持部は取得手段を有しているため、情報保持部が初めから管理データや識別データを有していない場合であっても、取得手段を介して情報保持部に管理データや識別データを与えることができるようになる。
【０１１８】
請求項３に係る情報送信装置では、取得手段は、管理データを入力する入力手段であるので、情報保持部は、管理データがこの入力手段から入力されることにより、管理データを得ることができるようになる。
請求項４に係る情報送信装置では、取得手段は、識別データを読み取る読み取り手段であるので、情報保持部は、識別データがこの読み取り手段から読み取られることにより、識別データを得ることができるようになる。
【０１１９】
請求項５に係る情報送信装置では、情報保持部は、読み取り手段からこのバーコードを読み取るだけで、各配送装置の識別データを取得することができるようになる。したがって、読み取り手段が各配送装置のバーコードから配送装置の識別データを読み取りながら、情報送信装置が各配送装置に情報を送信することができるようになる。このため、管理データの送信に際して必要な識別データの取得を、より簡易に行うことができるようになる。
【０１２０】
請求項６に係る情報送信装置では、取得手段が管理データや識別データを取得した場合に情報取得検知部はデータを取得したか否かの判断でき、データを送信する準備が完了したか否かを判断することができるため、情報取得検知部と接続されている情報送信部が、この判断結果に基づいて配送装置に対して管理データの送信を行うができるようになる。したがって、ここでの情報送信装置は、データの送信が可能なタイミングを認識することができるようになる。
【０１２１】
請求項７に係る情報送信装置では、配送装置の配送先についてのデータや配送装置が積載されて配送される配送用車輌のデータ等の配送データを各配送装置に送信している。このため、物品の配送において、配送装置についての取り扱いに間違いが生じることを抑えることができるようになる。
請求項８に係る配送装置では、配送装置は、自己の配送管理に用いられる管理データを受信することができるようになり、簡易な作業で、送信対象に間違いが生じることを抑えることができるようになる。
【０１２２】
請求項９に係る情報送信システムでは、情報送信装置は、各配送装置に対して対応する管理データを送信することができるようになり、簡易な作業で、送信対象に間違いが生じることを抑えることができるようになる。
請求項１０に係る情報送信方法では、各配送装置は、自分の配送管理に用いられる管理データを受信することができるようになり、簡易な作業で、送信対象に間違いが生じることを抑えることができるようになる。
【０１２３】
請求項１１に係る情報送信システムでは、情報送信装置が送信対象の保冷庫が実在することを確認しながら管理データの送信を行うことができ、一度確立された通信に基づいて再度の管理データの送信を行うので、管理データの送信の確実性を向上させることができる。したがって、簡易な作業で、送信対象に間違いが生じることをより確実に抑えることができるようになる。
【図面の簡単な説明】
【図１】保冷庫の外観を示す斜視図。
【図２】保冷庫の内部構造を示す説明図。
【図３】システムの通信概略構成を示すブロック図。
【図４】搬送用車輌の模式図。
【図５】システムの概略構成を示す説明図。
【図６】出荷時の説明図。
【図７】搬送時および入荷時の説明図。
【図８】回収時の説明図。
【図９】保冷庫とデータ設定装置と通信を示す図。
【図１０】保冷庫とデータ設定装置と通信構成を示すブロック図。
【図１１】出荷時の制御フローチャート。
【図１２】本実施形態に係る出荷時のデータ送信フローチャート。
【図１３】搬送中の制御フローチャート。
【図１４】入荷時の制御フローチャート。
【図１５】回収時の制御フローチャート。
【図１６】店舗通信ユニットの制御フローチャート。
【図１７】管理センターの制御フローチャート。
【図１８】Ｋ値を用いた鮮度情報管理および賞味期限判定の説明図。
【図１９】他の実施形態（Ａ）に係る出荷時のデータ送信フローチャート。
【図２０】他の実施形態（Ｂ）に係る出荷時の制御フローチャート。
【符号の説明】
１    配送装置（保冷庫）
２    本体（筐体）
１１    識別コード（バーコード）
１３    情報受信部（保冷庫通信装置）
１４    情報判別部（情報判断部）
２２    情報送信装置（データ設定装置）
２３    情報送信部（コード通信部）
２４    情報取得検知部（データ取得検知部）
２５    情報保持部（データ保持部）
２６    取得手段、入力手段（管理データ入力部）
２８    取得手段、読み取り手段（バーコード読み取り部）
３０    配送物（物品）
Ａ    管理データ、配送データ
Ｂ    識別データ
Ｅ    自己に返信させるための信号
【図１】
2004269178.tif 000003
【図２】
2004269178.tif 000004
【図３】
2004269178.tif 000005
【図４】
2004269178.tif 000006
【図５】
2004269178.tif 000007
【図６】
2004269178.tif 000008
【図７】
2004269178.tif 000009
【図８】
2004269178.tif 000010
【図９】
2004269178.tif 000011
【図１０】
2004269178.tif 000012
【図１１】
2004269178.tif 000013
【図１２】
2004269178.tif 000014
【図１３】
2004269178.tif 000015
【図１４】
2004269178.tif 000016
【図１５】
2004269178.tif 000017
【図１６】
2004269178.tif 000018
【図１７】
2004269178.tif 000019
【図１８】
2004269178.tif 000020
【図１９】
2004269178.tif 000021
【図２０】
2004269178.tif 000022